Podtech/llm-jp-corpus-v4-ja_patent huggingface dataset:
(57)【要約】  【課題】    だれにでもきれいに形づけることの出来る帯揚げを提供する。  【解決手段】  帯揚げＡは、長尺の布１を幅方向両側で折りたたんで、帯枕１２を包み込みやすくする為の後ろ身頃にあてるものであり、前部を好みの結び方に仕上げる。帯揚げＡを使用した着物の着付けは、まず、着物を着付け、帯を締めた後、帯山の位置に帯枕１２のひも１３（あるいは包み込んでいるガーゼひも）を結び、帯揚げＡで帯枕１２を包み、後ろ身頃にあて、帯揚げＡをもった両手を前方に移動し、帯揚げＡの両端を帯のなかに入れる又は仮結びする。次に形よく帯を整えた後、帯締めをして帯揚げＡを両手で持ち、帯の前面にあてがい、好みの結び方をして帯の中に入れ定着させる。    【選択図】図１
0003201416.tif 000002
【実用新案登録請求の範囲】
【請求項１】
長尺の布の長さ方向中央部に帯枕の包み込み部を設けた帯揚げであって、長尺の布の長さ方向中央部の幅方向両側をそれぞれ折りたたんで一対の通し部を形成し、この一対の通し部にゴム紐を通し、伸縮可能な開口を有する包み込み部を構成したことを特徴とする帯揚げ。
【考案の詳細な説明】
【技術分野】
【０００１】
本考案は、あらゆる帯に活用できる帯揚げに関するものである。
【背景技術】
【０００２】
従来、着物の着付けは、帯を結び帯枕にガーゼと帯揚げをあてて前側でガーゼを結び、その後帯揚げを形づける帯揚げが提案されている。
このように、従来の帯揚げは種々存在するが、後部側をきれいに包み形づけることはむづかしく、前部へと整える作業に手間取り長尺の布を幅方向に折りたたむこともむづかしく好ましくない。（例えば特許文献１参照）
【先行技術文献】
【特許文献】
【０００３】
【特許文献１】実用新案登録第３０７５６４２号公報
【考案の概要】
【考案が解決しようとする課題】
【０００４】
そこで、本考案の仕上げた帯揚げは、だれにでもきれいに形づけることの出来る帯揚げを提供することを課題とする。
【課題を解決するための手段】
【０００５】
上記の目的を達成するために、長尺の布の長さ方向中央部に帯枕の包み込み部を設けた帯揚げであって、長尺の布の長さ方向中央部の幅方向両側をそれぞれ折りたたんで一対の通し部を形成し、この一対の通し部にゴム紐を通し、伸縮可能な開口を有する包み込み部を構成したものである。
【考案の効果】
【０００６】
本考案が提供する帯揚げは、従来の帯揚げと比べ長尺の布の中央部に帯枕を包み込む仕
上がりである為、もたつくことがなく短時間できれいに形づけることが可能である。
【０００７】
帯揚げは、それぞれの上部、下部の端部にゴムを通し帯枕を包み込むことが可能である。また、スナップ、ホック等の連結手段でつなぎ従来の帯揚げと外観を変えないで、帯揚げを装着することが出来る。
【０００８】
また、本考案の帯揚げは、四季を問わず、生地を問わず、装着可能である。
【０００９】
さらに、本考案の帯揚げは、着付けの分野において帯枕を容易に包み、前面を自由に形づけるので作業がより早く円滑になり、全体的な着付けのバランスを取ることが出来る。
【００１０】
さらに、本考案の帯揚げは、装着後、簡単に取り外せるので、違和感なくその後の作業が容易になり年齢を問わず使用することが出来る。
【図面の簡単な説明】
【００１１】
【図１】実施例の帯揚げに帯枕を入れた状態を示す図である。
【図２】図1の帯揚げの製造工程を示す図である。
【図３】帯揚げに帯枕を入れる場合を示す図である。
【図４】帯揚げを使用した状態を示す図である。
【図５】帯揚げを装着した状態を示す断面図である。
【考案を実施するための形態】
【００１２】
以下、図面を参照しながら本考案の実施形態を実施例によって説明する。
【実施例】
【００１３】
図１は、実施例の帯揚げＡの正面図で帯揚げＡは、長尺の布１を幅方向両側で折りたた
んで形成され、帯枕７を包んでから後ろ身頃にあてるようにして使用する。次に、上記帯揚げＡの製造工程を説明する。
図２ａ、長尺の布１の幅方向の両側２，３を折りたたみ、折りたたんだ部分２，３の中央部の内端部分を縫いつける。（点線参照）
図２ｂ、折りたたんだ部分２，３の中央部に管状の通し孔(通し部)４，５が形成され、一本のゴムヒモ６を一対の通し孔４，５に通し、両端部７，８を接続する。
図２ｃ  中央部に伸縮性を有する開孔部(開口)９をそなえた帯枕の包み込み部が形成される。尚、開孔部９の両側をゴム紐6よりも外側で縫いつけて開かないように形成しておくことも出来る。(符号１１参照）。ここではゴム紐6と縫いつけ部分11との間から帯枕12の紐を引き出す。
図３に示すように帯揚げＡの開孔部９を押し広げて帯枕１２を開孔部９から包み込み部１０に収容し、帯枕１２のヒモ１３を両側から引き出した状態にする。開孔部９はゴムヒモ６によって縮まって帯枕１２が簡単に外れないように保持する。
次に、上記帯揚げＡ を使用した着物の着付け要領を図４、５によって説明する。  
（１）まず、着物１４を着付け、帯１５を締めた後、帯山の位置に帯枕１２のひも１３（あるいは包み込んでいるガーゼひも）を結び、帯揚げＡで帯枕１２を包み、後ろ身頃にあて、帯揚げＡをもった両手を前方に移動する。
（２）次に帯揚げＡを両手で持ち、前面にあてがい、仮結びする。
（３）次に帯１５の形を整え、帯締め１６を結び、再度帯揚げＡの仮結びをほどき好みの結び方をして両端を整えた中に入れる。
（４）さらに、仕上げた帯揚げＡを帯１５の中に入れる。
なお、図５において、１７は胴体、１８は腰紐、１９はお端折り、２０は胸紐、２１は伊達巻、２２は帯板である。帯揚げＡは、ゴムヒモ、接着布、スナップ、ホック、クリップなどの掛止手段を用いてもよい。さらにこれらを組み合わせて、結び目にあたるところを縫製ないし簡易装着品を使用し、固定することも可能である。
【００１４】
掛止手段は、布地の性状に合わせて、適宣選択するとよい。              
【００１５】
既存のないし在庫品の帯揚げを加工してもよい。
【００１６】
帯揚げ本体Ａは、多種類の機能を有する商品として売り出すことも可能である。
【符号の説明】
【００１７】
Ａ          帯揚げ                                                
１            長尺の布
２，３        布の幅方向両側  
４，５        通し孔  
６            ゴム紐
１０          包み込み部
１２          帯枕
１３          帯枕の紐          
１４          着物        
【図１】
0003201416.tif 000003
【図２】
0003201416.tif 000004
【図３】
0003201416.tif 000005
【図４】
0003201416.tif 000006
【図５】
0003201416.tif 000007
(57)【要約】      （修正有）【課題】雪道での移動・持ち運びが容易となるキャリーケースの車輪格納雪中運搬用具を提供する。【解決手段】スキー状の板１の中央部に可動レール２を設け、可動レールを前後に移動する着脱自在の車輪格納具３を装着し、車輪格納具にキャリーケースの本体車輪固定バンド４を設けたことを特徴とする。【選択図】図１
0003201414.tif 000002
【実用新案登録請求の範囲】
【請求項１】
（イ）スキー状の板１の中央部に可動レール２を設ける。
（ロ）可動レール２を前後に移動する格納具３を設ける。
（ハ）格納具３に車輪固定バンド４を設ける。
以上の如く構成された、キャリーケースの車輪格納雪中運搬用具。
【請求項２】
スキー状の板１に車輪６を設けたキャリーケースの車輪格納雪中運搬用具。
【請求項３】
スキー状の板１に車輪の突き出し孔７を設けたキャリーケースの車輪格納雪中運搬用具。
【考案の詳細な説明】
【考案の詳細な説明】
【技術分野】
【０００１】この考案は、スキー状の板に本体車輪を包み込む、格納具を設けたキャリーケースの車輪格納雪中運搬用具に関するものである。
【背景技術】
【０００２】従来のキャリーケースは、冬季に於いて雪道を移動する際、キャリーケーースの車輪に雪が張り付き、車輪の回転を妨げる等の抵抗を受け、止む無く持ち上げて運ぶ等労力の負担少なからず、その移動に際しては難儀をするなど、唯一の欠点を成していた。
【考案が解決しようとする課題】
【０００３】本考案はその欠点を除いて、雪の抵抗を抱えるキャリーケースの車輪を、スキー状の板に設けた格納具に搭載することで、積もった雪道を難儀する事なく容易に移動することでき、又、雪道の凍結した凹凸路でも、車輪の損耗が軽減され、且つ、雪道等に不慣れな旅行者に対しても、持ち運びに優しい雪中運搬具として、これを開発しようとするものである。
【課題を解決するための手段】
【０００４】いま、その解決手段を図面に追いながら説明すれば、
（イ）スキー状の板（１）の中央部に可動レール（２）を設け
（ロ）可動レール（２）を前後に移動する着脱自在の本案車輪格納具（３）を挿着、
（ハ）車輪格納具（３）に車輪固定バンド（４）を取り付ける。
本考案は、以上の構成によりなるキャリーケースの車輪格納雪中運搬具である。
【考案を実施するための形態】
【０００５】本案は、以上のような構造であるが、実施に際しては、キャリーケース本体は左右それぞれ２脚の車輪を持って１体（２本）とされる為、本考案も予め２本を用意する。また、これを使用するときは、
（イ）先ず、本体を横に置き変え本体前輪及び後輪を持ち運ぶ進行方向に向きを変える。
（ロ）次に、本案（本体左右いづれか）１本に車輪格納具（３）を可動レール（２）の上に挿着、本体前輪に向けてレール上を移動させ本体前輪に被せる。続いて後輪についても同様手順で行う。
尚、本体のキャリーケースには、型式により大型から中型など各種があり、それに伴い前・後輪の間隔も異なるものの、本案車輪各納具（３）は可動レール（２）上を型式に合わせて、前後自在に移動ができ調整が容易、と言う大きな特徴を合わせ持つ。
（ハ）続いて、車輪に被せた車輪格納具（３）に設けた固定バンド（４）の一方を、本体前輪に密着させ巻き被せて所定の位置に固定する。
引き続き、本体後輪についても同様手順で行う。
（ニ）更に、戌る（本体左右いづれか）１本についても同様手順で行う。
（ホ）本体を元に戻してキャリーケースのハンドルを、押し引く等して持ち運ぶ。
若干の練習によって本体への、本考案の着脱も素早く出来る様になり、雪道への準備、対応等の心配も和らぐ。
【０００６】なお、本考案の実施に当たって次の如くこともできる。
１、請求項２に請求項３を併設、即ちスキー状の板（１）に、本案車輪（６）並びに、本体車輪の突き出し孔（７）を設ける。
故に、万が一市中の行き来に遭遇する溶雪路に対しても、本案車輪（６）乃至、本体車輪の突き出し孔（７）による本体車輪が溶雪路に対応する。
すると、買い物用キャリーケースなどにも利用でき、用途が広がる。
【考案の効果】
【０００７】したがって、本案の使用により、雪の抵抗を抱える本体車輪を、本案がこれをスキー状板上に格納すると言う特長を持つことから、本体車輪に雪が張り付く、或いは車輪が雪に埋もれ運搬に難儀するなどが避けられ、雪道の移動に際して持ち運びが容易となる。
また、本考案、請求項２及び請求項３などは、お年寄りなどの普段の「買い物」で本体車輪が雪に埋もれ、持ち運びに難儀を来し、兎角控えがちとなる外出時などの不安も、本案により解消される。
それ故、本考案は、お年寄りはもとよりご婦人の旅行時ほか、雪中運搬用具としても持ち運びに優しく、興味深い提案と言える。
【図面の簡単な説明】
【図１】本考案、請求項１の前方側面斜視図である。
【図２】本考案、請求項１の平面図である。
【図３】本考案、請求項１のキャリーケースの使用状態（斜線）を示した、断面図、並びに背面図である。
【図４】本考案、請求項２の前方側面斜視図である。
【図５】本考案、請求項２のスキー状板（１）に本案車輪（６）を設けた平面図である。
【図６】本考案、請求項２のキャリーケースの使用状態（斜線）を示した、断面図、並びに背面図である。
【図７】本考案、請求項３「その１」とする前方側面斜視図である。
【図８】本考案、請求項３のスキー状板（１）に本体車輪の突き出し孔（７）を設けた平面図である。
【図９】本考案、請求項３「買物用その１」のキャリーケースの使用状態（斜線）を示した、断面図並びに背面図である。
【図１０】本考案、請求項３「買物用その２」とする前方側面斜視図である。
【図１１】本考案、請求項３のスキー状板（１）に本案車輪（６）並びに本体車輪の突き出し孔（７）を設けた平面図である。
【図１２】本考案、請求項３「買物用その２」のキャリーケースの使用状態（斜線）を示した、断面図並びに背面図である。
【符号の説明】  １は、スキー状板
２は、可動レール
３は、車輪格納具
４は、車輪固定バンド
５は、格納具滑りだし止め
６は、本案車輪
７は、スキー状板車輪突き出し孔
８は、本体とその車輪を用いたキャリーケースの使用状態（斜線）
９は、回転軸受け
１０は、回転軸
１１は、車輪補助回転筒
１２は、簡易収納溝
１３は、固定バンド軸受け円盤
１４は、固定バンド軸受け円盤取り付け金具
Ａは、切断面
Ｂは、車輪の接する地面
【図１】
0003201414.tif 000003
【図２】
0003201414.tif 000004
【図３】
0003201414.tif 000005
【図４】
0003201414.tif 000006
【図５】
0003201414.tif 000007
【図６】
0003201414.tif 000008
【図７】
0003201414.tif 000009
【図８】
0003201414.tif 000010
【図９】
0003201414.tif 000011
【図１０】
0003201414.tif 000012
【図１１】
0003201414.tif 000013
【図１２】
0003201414.tif 000014
(57)【要約】      （修正有）【課題】採血枕の拭き取りを不要にするとともに、場所を取らない、使い捨て用の採血枕用防菌シート積層体を提供する。【解決手段】採血枕用防菌シート積層体は、シート１の片面の一端に再剥離性粘着剤２が帯状に塗布された粘着剤付シートが、再剥離性粘着剤２の塗布部分が同じ端に位置するように積層されている。または、シート１の片面の一端に再剥離性粘着剤２が帯状に塗布された粘着剤付シートが、再剥離性粘着剤２の塗布部分が互い違いに位置するように積層されている。【選択図】図１
0003201495.tif 000002
【実用新案登録請求の範囲】
【請求項１】
シートの片面の一端に再剥離性粘着剤が帯状に塗布された粘着剤付シートが、該再剥離性粘着剤の塗布部分が同じ端に位置するように積層された、採血枕用防菌シート積層体。
【請求項２】
シートの片面の一端に再剥離性粘着剤が帯状に塗布された粘着剤付シートが、該再剥離性粘着剤の塗布部分が互い違いに位置するように積層された、採血枕用防菌シート積層体。
【考案の詳細な説明】
【技術分野】
【０００１】
本考案は、採血用枕に貼付して、採血用枕が汚れることを防ぐ、使い捨ての採血枕用防菌シート積層体に関する。
【背景技術】
【０００２】
医療現場で採血を行う際、採血用枕が使われる。採血用枕には腕の皮膚が直接接触するので、汗や血液が付着することがある。このため、採血するごとに、毎回消毒用アルコールなどで拭き取る手間がかかる。そこで、拭き取りを省略する為に、防菌用シートを採血枕に載せても、ズレて外れる可能性があった。また、シートを自動的に巻き取って新しいシートと交換する採血台も既に知られている（特許文献1）。しかし、このような採血台は採血用枕に比べてかなり大型で場所をとるという問題がある。
【先行技術文献】
【特許文献】
【０００３】
【特許文献１】特許第５３１０２２８号公報
【考案の概要】
【考案が解決しようとする課題】
【０００４】
本考案は、上記の拭き取りの問題を解決するとともに場所を取らない、使い捨て用の採血枕用防菌シート積層体を提供するものである。
【課題を解決するための手段】
【０００５】
上記課題を解決するために、本考案１の採血枕用防菌シート積層体は、シートの片面の一端に再剥離性粘着剤が帯状に塗布された粘着剤付シートが、該再剥離性粘着剤の塗布部分が同じ端に位置するように積層されている。また本考案２の採血枕用防菌シート積層体は、シートの片面の一端に再剥離性粘着剤が帯状に塗布された粘着剤付シートが、該再剥離性粘着剤の塗布部分が互い違いに位置するように積層されている。
【考案の効果】
【０００６】
本考案１によれば、簡単な手順で採血用枕をカバーでき、再剥離性粘着剤で採血枕に固定されているため、ズレて外れることのない使い捨て用の採血枕用防菌シート積層体が提供できる。本考案２によれば、簡単な手順で採血用枕をカバーでき、再剥離性粘着剤で採血枕に固定されているためズレて外れることもなく、さらにはポップアップ式容器とともに使用すれば片手で簡単に１枚ずつ取り出せる使い捨て用の採血枕用防菌シート積層体が提供できる。
【図面の簡単な説明】
【０００７】
【図１】本考案１の採血枕用防菌シート積層体を横から見た断面模式図である。
【図２】本考案１の採血枕用防菌シート積層体の斜視図である。
【図３】本考案２の採血枕用防菌シート積層体を横から見た断面模式図である。
【図４】本考案２の採血枕用防菌シート積層体の斜視図である。
【図５】本考案２の採血枕用防菌シート積層体をポップアップ式容器に入れたものを横から見た断面模式図である。
【図６】本考案１または２の採血枕用防菌シート積層体の使用状態を示す参考図である。
【考案を実施するための形態】
【０００８】
以下に本考案の実施形態を記載するが本考案は以下の実施形態に限定されるものではない。
【０００９】
本考案のシートの材質としては、公知のものを用いることができる。例えば、紙、不織布、プラスチックフィルム等が好ましい。またこれらの材質のシートを２種以上積層してもよい。吸水性素材のシートと防水性素材のシートを積層してもよい。さらにシートに公知の抗菌処理を施してもよい。
【００１０】
本考案のシートのサイズは特に限定されないが、例えば幅８０ｍｍ〜１５０ｍｍ、長さ２００ｍｍ〜３５０ｍｍである。
【００１１】
本考案の再剥離性粘着剤としては公知のものを用いることができ、特に限定されない。
【００１２】
本考案の採血枕用防菌シート積層体の積層方法は特に限定されず公知の方法を用いることができる。
【符号の説明】
【００１３】
１．シート
２．再剥離性粘着剤
３．ポップアップ式容器
４．採血枕
【図１】
0003201495.tif 000003
【図２】
0003201495.tif 000004
【図３】
0003201495.tif 000005
【図４】
0003201495.tif 000006
【図５】
0003201495.tif 000007
【図６】
0003201495.tif 000008
(57)【要約】      （修正有）【課題】漏出事故を防止すると同時に、高い構造強さ、耐久性を有する浴室水道用パイプラインを提供する。【解決手段】浴室水道用パイプラインは、メインパイプ１とサブメインパイプ２を含み、メインパイプは床３と浴室のレンガ４の間に取り付けられ、メインパイプの先端に丸型の溝１０１があり、丸型の溝に円錐状の底面がある。丸型溝の底面にはオーバーフロー穴１１１が設置してあり、メインパイプの先端に円錐状の出水穴１０２があり、オーバーフロー穴と出水穴は貫通している。サブメインパイプには出水穴と合わせた外側円錐面、サブメインパイプの内部には第一出水穴２０１があり、第一出水穴の先端にはステップ面があり、ステップ面の上に水漏れ用のカバー５が組み合わされ、水漏れ用カバーのトップ面は浴室のレンガ表面より低い。【選択図】図１
0003201432.tif 000002
【実用新案登録請求の範囲】
【請求項１】
浴室水道用パイプラインにおいて、メインパイプとサブメインパイプを含み、そのメインパイプは床と浴室のレンガの間に取り付けられ、メインパイプの先端に丸型の溝があり、丸型の溝に円錐状の底面があり、その丸型の溝の底面にオーバーフロー穴が設置してあり、そのメインパイプの先端に円錐状の出水穴があり、そのオーバーフロー穴と出水穴とが貫通しており、そのサブメインパイプの内部に第一出水穴があり、第一出水穴の上には、水漏れ用のカバーが組み合わされ、その水漏れ用カバーの表面は浴室のレンガ表面より低いことを特徴とする浴室水道用パイプライン。
【請求項２】
請求項１に記載の浴室水道用パイプラインにおいて、サブメインパイプの下端面とそのオーバーフロー穴の間に1mm-10mmの距離があることを特徴とする浴室水道用パイプライン。
【請求項３】
請求項１に記載の浴室水道用パイプラインにおいて、水漏れ用のカバーの表面には穴があることを特徴とする浴室水道用パイプライン。
【考案の詳細な説明】
【技術分野】
【０００１】
本実用新型は浴室水道用パイプラインに及ぼす。
【背景技術】
【０００２】
浴室水道用パイプラインは高い取り付け技術が必要、もし、密閉性が低いと、水が配管ではない、直接に浴室のレンガと床の間に溜まり、漏出を招き、階下の家族に迷惑を掛けると同時に、後で水漏れ部分の修理も煩わしく、レンガを外す必要がある。
【考案の概要】
【考案が解決しようとする課題】
【０００３】
本実用新型解決する必要な問題は浴室水道用パイプラインを提供する。本措置は水が床に逆流させないように出水方法が二つ予備して漏出事故を防止すると同時に、本措置は高い構造強さ、耐久性がある。
【課題を解決するための手段】
【０００４】
以上の問題を解決するために、本実用新型は以下の技術方策を打ち出す。浴室水道用パイプライン、メインパイプとサブメインパイプを含め、そのメインパイプは床と浴室のレンガの間に取り付け、メインパイプの先端に丸型の溝があり、丸型の溝に円錐状の底面がある、その丸型溝の底面にオーバーフロー穴が設置してあり、そのメインパイプの先端に円錐状の出水穴があり、そのオーバーフロー穴と出水穴と貫通であり、そのサブメインパイプには出水穴と合わせた外側円錐面、そのサブメインパイプの内部に第一出水穴があり、第一出水穴の先端にステップ面があり、ステップ面の上、水漏れ用のカバーが組み合わせてあり、その水漏れ用カバーのトップ面は浴室のレンガ表面より低いである。
【０００５】
優秀な技術方策として、メインパイプはPVCプラスチック配管であり、サブメインパイプと水漏れ用カバーは全部ステンレスまたは銅製であり、そのメインパイプ壁の厚さは6mm-12mmで、サブメインパイプ壁の厚さは1mm-2.5mmである。
【０００６】
優秀な技術方策として、サブメインパイプはその出水穴のなかと組み合わせ、サブメインパイプの下端面とそのオーバーフロー穴の間に1mm-10mmの距離がある。
【０００７】
優秀な技術方策として、水漏れ用のカバーの表面には穴がある。
【考案の効果】
【０００８】
本実用新型の有益な効果：本措置は水が床に逆流させないように出水方法が二つ予備して漏出事故を防止すると同時に、本措置は高い造強さ、耐久性があると同時に、本措置の構造は簡単で、コストも低い、取り付ける方法は簡単で、普及させることが相応しい。
【図面の簡単な説明】
【０００９】
【図１】本実用新型の構造見取り図。
【図２】メインパイプの俯瞰図。
【考案を実施するための形態】
【００１０】
本実用新型のメリットと特徴を技術分野の技術者に簡単に理解され、さらに本実用新型の保護範囲にもっと明確に決めるために、これから付図とあわせて本実用新型の優秀な実施例を詳しく説明する。
【００１１】
図面１と図面２に展示された浴室水道用パイプライン、メインパイプ１とサブメインパイプ２を含め、そのメインパイプ１は床３と浴室のレンガ４の間に取り付け、メインパイプ１の先端に丸型の溝101があり、丸型の溝101に円錐状の底面がある、その丸型溝101の底面にオーバーフロー穴111が設置してあり、そのメインパイプ１の先端に円錐状の出水穴102があり、そのオーバーフロー穴111と出水穴102と貫通であり、そのサブメインパイプ２には出水穴102と合わせた外側円錐面、そのサブメインパイプ２の内部に第一出水穴201があり、第一出水穴201の先端にステップ面があり、ステップ面の上、水漏れ用のカバー５が組み合わせてあり、その水漏れ用カバー５のトップ面は浴室のレンガ４表面より低いである。
【００１２】
優秀な技術方策として、メインパイプ１はPVCプラスチック配管であり、サブメインパイプ２と水漏れ用カバー５は全部ステンレスまたは銅製であり、メインパイプ１の壁の厚さは８ｍｍ、サブメインパイプ２の壁の厚さは２ｍｍである。
【００１３】
優秀な技術方策として、サブメインパイプ２が出水穴102中に組み合わせて、サブメインパイプ２の下端面とオーバーフロー穴111の間に5mmの距離が形成する。
【００１４】
優秀な技術方策として、水漏れ用のカバー５の表面には穴がある（見取り図がない）。
【００１５】
本実用新型の有益な効果：本措置は水が床に逆流させないように出水方法が二つ予備して漏出事故を防止すると同時に、本措置は高い造強さ、耐久性があると同時に、本措置の構造は簡単で、コストも低い、取り付ける方法は簡単で、普及させることが相応しい。
【００１６】
以上はただ本実用新型の具代的な実施方法であるが、本実用新型の保護範囲はこれだけではない、あらゆる創造性付きな労働でなければ、想像できた変化と取替えは、皆本実用新型の保護範囲以内に属するべきである。だから、本実用新型の保護範囲は権利要求書が限定した保護範囲を基準にするべきである。
【符号の説明】
【００１７】
１  メインパイプ
２  サブメインパイプ
３  床
４  レンガ
【図１】
0003201432.tif 000003
【図２】
0003201432.tif 000004
(57)【要約】      （修正有）【課題】分解と組み立てが非常に便利で、メンテナンスするは簡単で、丈夫なトイレ用棒フックセットを提供する。【解決手段】上部固定部品１、下部固定部品２とストラット３を含み、上部固定部品１の前端面に位置決めリング１０１を設置し、下部固定部品２の前端面にサポートエンド２０１を設置し、サポートエンドのトップに凹穴があり、凹穴と位置決めリング１０１が同軸に配置され、ストラット３はその凹穴と位置決めリング１０１の間に配置され、ストラット３のシャフトの上にアクティブリング４を設置し、アクティブリング４とストラット３の間はネジ４０１を配置し、アクティブリング４の表面に対称的に二つ以上のフック４１１を設ける。【選択図】図１
0003201435.tif 000002
【実用新案登録請求の範囲】
【請求項１】
トイレ用棒フックセットにおいて、上部固定部品、下部固定部品とストラットを含み、その上部固定部品の前端面に位置決めリングが設けられ、その下部固定部品の前端面にサポートエンドが設けられ、そのサポートエンドの表面に凹穴があり、その凹穴と位置決めリングが同軸上に配置され、そのストラットはその凹穴と位置決めリングの間に配置され、そのストラットのシャフトの上にアクティブリングが設けられ、そのアクティブリングとストラットの間にはネジが設けられ、そのアクティブリングの表面には二つ以上のフックが設けられることを特徴とするトイレ用棒フックセット。
【請求項２】
請求項１に記載のトイレ用棒フックセットにおいて、その上部固定部品と位置決めリングは一体構造であることを特徴とするトイレ用棒フックセット。
【請求項３】
請求項１に記載のトイレ用棒フックセットにおいて、その下部固定部品とサポートエンドは一体構造であることを特徴とするトイレ用棒フックセット。
【請求項４】
請求項１に記載のトイレ用棒フックセットにおいて、そのストラットはステンレス製で、そのストラットは中空棒で、そのストラットの壁の厚さは1mm−1.2mmであることを特徴とするトイレ用棒フックセット。
【請求項５】
請求項１に記載のトイレ用棒フックセットにおいて、そのフックとアクティブリングは一体構造であることを特徴とするトイレ用棒フックセット。
【考案の詳細な説明】
【技術分野】
【０００１】
本実用新型はトイレ用棒フックセットに関連する。
【背景技術】
【０００２】
フックはよく見られるトイレ施設で、現有の技術でのフックは複数で組み合わせるタイプが多い、そして複数の組み合わせたフックみんな個別に固定する必要があり、固定するには面倒くさい、固定力が弱くて、負荷容量もよくない。
【考案の概要】
【考案が解決しようとする課題】
【０００３】
本実用新型は解決する必要な問題は一種のトイレ用棒フックセットを提供する、本措置各フックの間の距離は柔軟に調節できることによって使用時のニーズを応える、同時に、本措置の分解と組み立ては非常に便利で、メンテナンスするには簡単で、それに、本措置は両端固定を採用し、固定は便利で、丈夫である。
【課題を解決するための手段】
【０００４】
以上の問題を解決するために、本実用新型は以下の技術方策を取った：トイレ用棒フックセット、上部固定部品、下部固定部品とストラットを含め、その上部固定部品の前端面に位置決めリングを設置してあり、その下部固定部品の前端面にサポートエンドを設計してあり、そのポートエンドのトップに凹穴があり、その凹穴と位置決めリングが同軸に配置され、そのストラットはその凹穴と位置決めリングの間に配置され、そのストラットのシャフトの上にアクティブリングを設置してあり、そのアクティブリングとストラットの間はネジを配置され、そのアクティブリングの表面に対称的に二つ以上のフックが設けられる。
【０００５】
優秀な技術方策として、その上部固定部品と位置決めリングは一体構造である。
【０００６】
優秀な技術方策として、その下部固定部品とサポートエンドは一体構造である。
【０００７】
優秀な技術方策として、そのストラットはステンレス製で、そのストラットは中空棒で、そのストラットの壁の厚さは1mm−1.2mm。
【０００８】
優秀な技術方策として、そのフックとアクティブリングは一体構造で、そのアクティブリングとそのストラットは移行フィットである。
【考案の効果】
【０００９】
本実用新型の有益な効果は：本措置複数のフックの間の距離は柔軟に調節できることによって使用時のニーズを応える、同時に、本措置の分解と組み立ては非常に便利で、メンテナンスするには簡単で、それに、本措置は両端固定を採用し、固定は便利で、丈夫である。本措置の構造は簡単で、コストが低い、普及することに相応しい。
【図面の簡単な説明】
【００１０】
【図１】本実用新型の見取り図である。
【考案を実施するための形態】
【００１１】
これから附図をあわせて本実用新型の優秀な実施例に対して詳しく紹介する、本実用新型のメリットと特徴はこの分野の技術者にもっと簡単に理解されるから、本実用新型の保護範囲をより明白ではっきりに定義できる。
【００１２】
図面１に示されたトイレ用棒フックセットを参照してください、上部固定部品１、下部固定部品２とストラット３を含め、その上部固定部品1の前端面に位置決めリング101を設置してあり、その下部固定部品２の前端面にサポートエンド201を設計してあり、そのポートエンド201のトップに凹穴（示されていない）があり、その凹穴と位置決めリング101が同軸に配置され、そのストラット3はその凹穴と位置決めリング101の間に配置され、そのストラット３のシャフトの上にアクティブリング4を設置してあり、そのアクティブリング4とストラット3の間はネジ401を配置され、そのアクティブリング4の表面に対称的に二つ以上のフック411が設けられる。
【００１３】
本実用新型の中一つの好ましい実施例として、その上部固定部品１と位置決めリング101は一体構造である。
【００１４】
本実用新型の中一つの好ましい実施例として、その下部固定部品２とサポートエンド210は一体構造である。
【００１５】
本実用新型の中一つの好ましい実施例として、そのストラット３はステンレス製で、そのストラット３は中空棒で、そのストラット3の壁の厚さは1mm。
【００１６】
本実用新型の中一つの好ましい実施例として、そのフック411とアクティブリング4は一体構造で、そのアクティブリング4とそのストラット3は移行フィットである。
【００１７】
本実用新型の有益な効果は：本措置複数のフックの間の距離は柔軟に調節できることによって使用時のニーズを応える、同時に、本措置の分解と組み立ては非常に便利で、メンテナンスするには簡単で、それに、本措置は両端固定を採用し、固定は便利で、丈夫である。本措置の構造は簡単で、コストが低い、普及することに相応しい。  
【００１８】
以上はただ本実用新型の具代的な実施方法であるが、本実用新型の保護範囲はこれだけではない、あらゆる創造性付きな労働でなければ、想像できた変化と取替えは、皆本実用新型の保護範囲以内に属するべきである。だから、本実用新型の保護範囲は権利要求書が限定した保護範囲を基準にするべきである。  
【符号の説明】
【００１９】
１  上部固定部品
２  下部固定部品
３  ストラット
4  アクティブリング
【図１】
0003201435.tif 000003
(57)【要約】      （修正有）【課題】花器に生けられた花の寿命を伸ばし、水替えの労力を軽減する花器の中に入れる小さめの銅の花器を提供する。【解決手段】銅以外の素材で作られた花器１の内側に花器より容積的に小さな銅製の花器２を作成しはめ込む。【選択図】図２
0003201035.tif 000002
【実用新案登録請求の範囲】
【請求項１】
銅以外の素材で作られた花器の内側に前記銅以外の素材で作られた花器よりも容積的に小さな銅製の花器を作成しはめ込むことを特徴とする花器の中に入れる小さめの銅の花器。
【考案の詳細な説明】
【技術分野】
【０００１】  本考案は、銅の殺菌力を生かして、花を長持ちさせるように陶器やガラス、竹製等の花器の内側に入れる小さめの銅の花器に関するものである。
【背景技術】
【０００２】  銅製の花瓶に生けられた花は、殆ど水替えをしなくても、生き生きとしていて、長く持つのに対して、陶器、ガラス製の花器に生けられた花は、毎日水替えをしていても、夏場などでは、２〜３日で水が濁ったりぬめりが出て花期が短くなりがちであった。
【考案の概要】
【考案が解決しようとする課題】
【０００３】  花が長持ちするさまざまな素材で作られた花器を提供する。
【課題を解決するための手段】
【０００４】  銅製以外の素材で作られた花器の内側に入る位の大きさの銅製の花器を作成し、前記銅製以外の素材で作られた花器の内側に入れる。
【考案の効果】
【０００５】  さまざまな素材で出来た花器に生けられた花を長持ちさせる。花器の水替えの労力を軽減させる。花が長持ちするため、生け花によって心を癒すシーンが増える。花に興味を持つ人が増え花卉市場が活性化する。
【図面の簡単な説明】
【０００６】
【図１】陶器の花瓶の内側に入れられた銅製の筒型の花瓶
【図２】陶器の花瓶の内側に入れられた銅製の筒型の花瓶の断面図
【考案を実施するための形態】
【０００７】  花器の内側に納まりやすい容積を持った銅製の花器を作成し内側にはめ込む。、
【実施例】
【０００８】  以下添付図に従って、一実施例を説明する。１は、陶器で作られた花瓶であり、内側に２の銅製の筒型の花瓶をはめ込む。
【符号の説明】
【０００９】  １  陶製の花瓶
２  鋼製の筒型の花瓶
３  生けられた花
【図１】
0003201035.tif 000003
【図２】
0003201035.tif 000004
(57)【要約】      （修正有）【課題】ペーパーの収納において、損傷を最小限に抑えて長期保管が可能、使用するときは取り出しやすく、なおかつコンパクトに持ち運びができるペーパーファイルを提供する。【解決手段】ペーパーのサイズにあった空間のある押さえと仕切りを設けることにより、ペーパーの損傷を最小限に抑え、数種類のペーパーの色の識別が簡単で使用しやすく、材質を柔らかく軽量にすることにより、取り出しやすく作業能率よく、丈夫で軽量、持ち運びが簡単にできる。【選択図】図１
0003201037.tif 000002
【実用新案登録請求の範囲】
【請求項１】
ペーパーのサイズにあった空間のある押さえと仕切りが設けられ、材質が柔らかく軽量であることを特徴とするペーパーファイル。
【請求項２】
ペーパーの両端と中央部分とを分けて押さえられ、本体からペーパーが飛び出ない、そして収納したペーパーの色が瞬時に認識できる構造の請求項１に記載のペーパーファイル。
【請求項３】
ペーパーを数本単位でも、少ない単位でも収納するように仕切られた構造の請求項１に記載されたペーパーファイル。
【請求項４】
材質が柔らかく軽量とは、収納本体の折りたたみができる構造の、請求項１に記載のペーパーファイル。
【考案の詳細な説明】
【技術分野】
【０００１】  本考案は、ペーパーの損傷を最小限に抑えて保管し、使用するときは取り出しやすく、なおかつコンパクトに持ち運びが可能なペーパーファイルに関する。
【背景技術】
【０００２】  従来のペーパーファイル無く、ストローを切って並べたものに収納、又はフィルムのネガを収納するファイルなど、それぞれ個人が手作りしたものに収納されていた。【０００３】  しかしながらペーパーのサイズに合った収納でないためきちんと収納できず、ペーパーが折れる、曲がる、飛び出す、他の色のペーパーと混ざってしまう、取り出しにくい、などの不都合な点が多く、収納の本体そのものも壊れやすい、持ち運びにくい、商品の外観も良くないなどといった欠点が多数あった。
【考案の概要】
【考案が解決しようとする課題】
【０００４】  本考案は以上のような従来の欠点に鑑み、ペーパーのサイズにあった収納、折れず、曲がらず、飛び出たりしてペーパーが損傷することがなく、他の色のペーパーとも混ざることがなく、なおかつ取り出しやすく、丈夫で壊れにくく、軽くて持ち運びが簡単、外観が美しく、美術的感覚から見ても美しく収納できる、ペーパーファイルを提供することを目的としている。
【課題を解決するための手段】
【０００５】  上記目的を達成するために、本考案は、請求項１の構成要件とでペーパーファイルを構成している。
【考案の効果】
【０００６】  本考案はペーパーのサイズにあった空間のある押さえがあることにより、ペーパーが折れたり曲がったりせず、ペーパーファイルより飛び出ることなく損傷を最小限に抑えて長期保管が可能、収納している数種類のペーパーの識別が簡単にできる。【０００７】  仕切りがあることにより、他のペーパーと混ざらずに収納が可能、ペーパーが折れたり曲がったりの損傷を最小限に抑えて長期保管が可能である。【０００８】  材質が柔らかいことにより、ペーパーの取り出しが簡単で作業能率がよく、丈夫で壊れにくく、軽量で持ち運びが簡単にできる。
【図面の簡単な説明】
【０００９】
【図１】本考案を実施するため、斜視図に示された如く形成されたペーパーファイルに、長方形から成る所定寸法のペーパーをファイルするものである。
【考案を実施するための形態】
【００１０】  以下、本考案の実施形態をペーパーファイルの斜視図に基づいて説明する。ペーパーファイル材質は布などによるやわらかいものであり、１〜５の複数に仕切られたイの上袋に、長方形から成る所定寸法のペーパーであるホの片方が差し込まれ、もう片方が中空に形成されたトを貫通しハの下袋に差し込まれる。前記差し込まれた状態でＡＢＣＤ内面に多色多数のペーパーがファイルされるものである。さらにＡがＢ表面側にたたまれＤがＣの表面側にたたまれ、さらにＤの裏側がＡの裏側に重なる状態でマグネット等が働く構造とするものである。
【産業上の利用可能性】
【００１１】  本考案の実施形態のペーパーファイルは、多色を有した長方形から成る所定寸法のペーパーを材料として、多様な花やその花に関係する独特な手芸品を製作される方々に活用される。【００１２】  そして、本考案は、ペーパーの損傷を最小限に抑えて長期保管し、使用するときは取り出しやすく、尚且つコンパクトに持ち運びが可能なペーパーファイルとして利用する。
【符号の説明】
【００１３】  １２３４５は各Ｈ箇所で接合された分類箇所、ＡＢＣＤはペーパーファイルの収納箇所、ニはマグネット等によってペーパーファイルを閉じる箇所、イとハはペーパーの差し込み箇所、Ｆはペーパーファイルを折る箇所、トはペーパーを通す中空箇所、ＥはペーパーファイルＡＢＣＤの裏面、ＧはペーパーファイルＡＢＣＤの表面、Ｆはペーパーファイルの折り目、Ｈは接合箇所。
【図１】
0003201037.tif 000003
(57)【要約】      （修正有）【課題】マツ毛の両サイドがカール施行しやすく、瞼を挟むことがなく、器具を外すときマツ毛が折れたり、切れるといったトラブルもないマツ毛カーラーを提供する。【解決手段】利き手の人差し指に巻き付けて器具を固定させる支持部分１と、支持部分と一体となって親指方向に角度５と瞼の根元形状に添わせる弧状ライン部分３とを調整可能に配設された平板の整毛加圧部分２からなる。自分自身の利き手の人差し指に装着し、親指の腹部を基台部としてマツ毛をのせて、整毛加圧部分ではさみ加圧する事により、力加減を認識しながらマツ毛のカールが得られる。【選択図】図２
0003201032.tif 000002
【実用新案登録請求の範囲】
【請求項１】
利き手の人差し指に巻き付けて器具を固定させる支持部分と、前記支持部分と一体となって親指方向に角度と瞼の根元形状に添わせる弧状ライン部分を調整可能に配設された平板の整毛加圧部分からなることを特徴とするマツ毛カーラー。
【請求項２】
前記支持微分及び前記整毛加圧部分は、平板を裁断又は抜き加工して成形されることを特徴する請求項１記載のマツ毛カ―ラ＾。
【請求項３】
前記平板は、アルミニュウムからなることを特徴とする請求項１又は２に記載のマツ毛カーラー。
【請求項４】
前記平板は、厚さ０．３ミリから０．７ミリであることを特徴とする請求項２又は３に記載のマツ毛カーラー。
【考案の詳細な説明】
【技術の分野】
【０００１】美容目的又は、逆さマツ毛対策の為にマツ毛を上向きにカールさせる目的の器具に関するものである。
【背景技術】
【０００２】マツ毛を強制的に上向きにカールさせる従来の器具（ビュラ―）は、マツ毛を金属で上下から挟んでカールを発生させる為切れたり、折れたり、抜けたりすることがあった。またマツ毛全体に充分なカールが得られなかった。
たとえ金属の片方にゴムのようなクッション性の物を袈ましても同様であった。
【先行技術文献】
【０００３】
【特許文献１】特開２０１０−２５９５３９（Ｐ２０１０−２５９５３９Ａ）
【考案の概要】
【０００４】簡便に、美容目的又は、逆さマツ毛対策の為にマツ毛を上向きにカールさせる目的の器具であって、自身の人差し指に巻き付けて装着出来る為、作業操作感覚が自覚でき、マツ毛の切れや、抜けが発生しない器具の考案
【考案が解決しようとする課題】
【０００５】従来市販されている器具（ビュラー）は、マツ毛の両サイドが、施行し難く残ってしまうこと、瞼をはさむことがあること、器具を外す時マツ毛が抜けてしまったり、切れる・折れるといったトラブルがあることからの解決を目的とする。
【課題を解決するための手段】
【０００６】本考案は、器具を自分自身の人差し指の先に装着し親指を使って、マツ毛にカールを付ける力加減を認識しながら、マツ毛と器具の弧状ライン部分に力を集中させることが出来、マツ毛全体に  カ―ルを発生させ、抜ける・折れる・切れるといったトラブルなく問題点を解消する。
【考案の効果】
【０００７】上述の様に、本考案のマツ毛カーラー器具は、自分自身の指を使用して施工する為に、マツ毛のカールが、希望する程度に簡単に発生させることが出来き、器具の使用方法も自身の指の為に習得が容易である。
【図面の簡単な説明】
【０００８】
【図１】マツ毛カーラ―の実施方法を示した説明図  （実施例１）
【図２】マツ毛カ―ラ―の説明図  （実施例２）
【実施例】
【０００９】以下、添付図面に従って説明  マツ毛カーラー本体１は、利き手の人差し指に合う様に調整して装着する支持部分１と、親指６を基台部４してマツ毛を乗せマツ毛に加圧する弧状部分３から構成される。【００１０】材料は、厚み０．３ミリから０．７ミリのアルミニュウム平板を裁断又は抜き加工された物を使用者が、自身の人差し指又は瞼の根元ライン形状に添わせる弧状ライン部分３の調節可能なもの【００１１】使用方法は、利き手の人差し指に支持部分１巻き付け装着可能にし、整毛部分２を親指６方向し角度５に調整し、マツ毛の根元ラインに添わせて弧状ライン部分３を調整する。【００１２】作用は、親指６の腹部を基台部としてマツ毛を乗整網加圧部分２のマツ毛根元部分を弧状ライン部分３で挟み加圧した状態で、腕の肘を上部に上げると親指６が力点となり加圧力が増しマツ毛に無理なく自然なカールが得られる。
【符号の説明】
【００１３】１        マツ毛カーラー本体・支持部分
２        整毛加圧部分
３        弧状ライン部分（調整可能）
４        基台部（力点）
５        角度（調整可能）
６        親指
【図１】
0003201032.tif 000003
【図２】
0003201032.tif 000004
(57)【要約】      （修正有）【課題】老若男女及び体の大小、細い人太い人達全般に使用可能な器具であって、しかも、製造工程の簡略化が図られた固定用鎖付き指圧器を提供する。【解決手段】左右一対となるよう成型された器具本体に、それぞれ蝶番１及び蝶番接続部、揉み玉部２、取っ手部３を設け、左側の取っ手部底面には固定用釘４を取り付け、右側の取っ手部底面には固定用鎖５を取り付ける。これを使用する時は、器具の末梢端を両手で掴んで拡げ、揉み玉部を適度な強さで挟みながら器具を開閉あるいは上下させればよい。さらに固定用鎖を利用して適度な指圧力を長時間持続させることもできる。【選択図】図２
0003201016.tif 000002
【実用新案登録請求の範囲】
【請求項１】
左右の器具本体と複数の揉み玉を一体成型し左右一対になるように先端部で接続された固定用鎖付き指圧器
【考案の詳細な説明】
【技術分野】
【０００１】この考案は、左右の器具本体と複数の揉み玉を一体成型し左右一対になるように先端部で接続された指圧器具に関するものである。
【背景技術】
【０００２】従来の手動式小型指圧器は、その器具を使って他人に指圧を施す場合問題なく全身に使用することができたが、自身が自身の体に使用する場合、簡単な構造上使用できる部位が限られてくる（頚肩用、腰背中用）という不足点があった。
【先行技術文献】
【特許文献】
【０００３】
【考案の概要】
【考案が解決しようとする課題】
【０００４】老若男女及び体の大小太い細い人達全般に使用できる器具の大きさと長さ製造工程の簡略化が二つの主要課題であった。
本考案は以上のような欠点を改善するためになされたものである。
【課題を解決するための手段】
【０００５】器具製造のための材料が木製と合成樹脂では異なりますので分けて説明させてもらいますと＜木製材料の場合＞長さ５０ｃｍ  厚さ３ｃｍ  幅６ｃｍの角材を幅６ｃｍの面を上にして上端から順に蝶番部（１）、揉み玉部（２）取っ手部（３）を設けるために中央で２分割する。  その後、分割された左右の本体を蝶番で接続し最後に２本の取っ手部下面に固定用釘（４）固定用鎖（５）をそれぞれ取り付ける
＜合成樹脂の場合＞木製材料で２分割作成した上記本体２本と同じサイズを合成樹脂で金型成型し、その後上端部を蝶番（１）で接続してから２本の取っ手部（３）下面に固定用釘（４）と固定用鎖（５）をそれぞれ取り付ける。
本考案は，以上の構成よりなるトング型指圧器である。
【考案の効果】
【０００６】本体と揉み玉部を一体成型し、左右一対の構造にすると器具の強度も増し、作業工程も簡略化できるので製造コストも抑えられ製品価格も下げられるという３重のメリットが生じる。
【図面の簡単な説明】
【０００７】
【図１】  本考案の正面図である。
【図２】  本考案の側面図（使用時）である。
【図３】  本考案の側面図（収納時）である。
【考案を実施するための形態】
【０００８】以下本考案を実施するための形態について説明する。
長さ５０ｃｍ  厚さ３ｃｍ  幅６ｃｍの角材を幅６ｃｍの面を上にして上端から順に蝶番部（１）、揉み玉部（２）取っ手部（３）を設けるために中央で２分割する。  その後、分割された左右の本体を蝶番で接続し最後に２本の取っ手部下面に固定用釘（４）固定用鎖（５）をそれぞれ取り付ける。＜木製材料＞
木製材料で２分割作成した上記本体２本と同じサイズを合成樹脂で金型成型し、その後上端部を蝶番（１）で接続してから２本の取っ手部（３）下面に固定用釘（４）と固定用鎖（５）をそれぞれ取り付ける＜合成樹脂＞
本考案は以上のような構造である。
これを使用する時は、器具の末梢端を両手で掴んで拡げ、指圧部位を適度な強さで挟みながら器具を開閉あるいは上下させればよい。  さらに固定用鎖を利用して適度な指圧力を長時間持続させることもできる。
【符号の説明】
【０００９】  １  蝶番
２  揉み玉部
３  取っ手部
４  固定用釘
５  固定用鎖
【図１】
0003201016.tif 000003
【図２】
0003201016.tif 000004
【図３】
0003201016.tif 000005
【手続補正書】
【提出日】平成27年8月11日(2015.8.11)
【手続補正１】
【補正対象書類名】実用新案登録請求の範囲
【補正対象項目名】全文
【補正方法】変更
【補正の内容】
【実用新案登録請求の範囲】
【請求項１】
左右一対となるよう成型された器具本体に、それぞれ蝶番（１）及び蝶番接続部、揉み玉部（２）、取っ手部（３）を設け、左側の取っ手部底面には固定用釘（４）を取り付け、右側の取っ手部底面には固定用鎖（５）を取り付けた固定用鎖付き指圧器
(57)【要約】      （修正有）【課題】持ち運びしやすく、広告媒体や景品としても利用価値が高く、小物入れケース全般として使用することが出来るコンパクトケースの提供。【解決手段】コンタクトレンズ収納部と、薬収納部と、アクセサリー収納部とを備え、コンタクトレンズ収納部はキャップを備え、当該キャップの表面をエンボス仕上げとした。その外観が人若しくは動物の顔又は二輪の花に模したものであって、前記コンタクトレンズ収納部を、人若しくは動物の目や耳や鼻に相当する位置又は二輪の花の各中心部に設けた。【選択図】図１
0003201020.tif 000002
【実用新案登録請求の範囲】
【請求項１】
ペアファッションアイテム、友達とお揃いとして、彼ならコンタクトレンズ＋サプリメント、指輪、メガネ拭き等のアクセサリーを入れる万能ファッションアイテム収納ケース。
また、忘れ物を減らす効果もある１つに収納できるコンパクトケース。
【請求項２】
コンタクトレンズのケースキャップは回転式・フタ式とし「Ｌ」「Ｒ」はエンボス仕上。アクセサリーやサプリ等を入れるケースの内側部分は、密閉型のフタや、スライド式のフタ（図▲１▼〜▲３▼参照）、もしくはパタンパタンとフタが容易的に閉まる構造機能をつける。
また、上下があり、誰でもすぐに左右がわかる、人や動物など必ず左右２つあるもの
「目」「耳」「鼻の穴」などにコンタクトレンズのキャップケース回転式・フタ式（エンボス仕上）を設けることにより、間違って左右取り付けることをなくす。上下左右が明確な形状画・写真・文字などを印刷。
【請求項３】
商品タイトルが「コンタクトレンズケース」＋αの機能的ケース。
コンタクト＝目  に関することなので、目に特徴のある動物シリーズや、また「目」「耳」「鼻の穴」など左右必ず２つある「モノ」  に関するところに焦点をおく。アイテム展開の確立
例：出目金・ブルドック・フクロウ・メガネザル・ブタ、イノシシ、カエル、花、キャラクターとしてウルトラマン、仮面ライダー、ガチャピン、クマモン、スカルなど。
【考案の詳細な説明】
【技術分野】
【０００１】本考案は、コンタクトレンズを収容・保管するためのケースに関するもので、個体差が大きく、また、持ち運びやすく、左右が明確で、広告媒体や景品としても利用価値が高く、コンタクトレンズの収納ケース＋アクセサリーなどの小物入れケース全般として使用することに関するものである。
【背景技術】
【０００２】従来のコンタクトケースは、保存液にプラスチックの○○の形をしたケースがついてくる。が、そんなにたくさんケースはいらない。
また、市販でのケースも形はさほど変わり生えのないものが殆どである。
本来ならば一目で左右がわからないといけない収納商品のはずなのに分かりずらい意匠をしている。この意匠により特に高齢者など目が見えにくくなる傾向の方には上下左右同じデザインのため不便ささえ感じられる。
ならば、コンタクトケース以外に＋αの機能を加える。
例えば、会社帰りにお洒落をして出掛ける時、デート用のアクセサリーの持ち運び用に、“持ってて可愛い”“大切にしたい”と思うようなことができる機能的ケース、視覚・触覚により左右が一目でわかるデザインケース
【考案の概要】
【考案が解決しようとする課題】
【０００３】現在のものはお洒落感のない丸い形状のものばかりである。
また、左右が「Ｌ」「Ｒ」と表記はあるものの非常に分かりずらい。
更に、家族や他人との取り違えがおきやすく、朝すぐに使う場合であっても洗面台に置いたままにすることが出来ない。
人によっては複数枚、複数組のコンタクトレンズを所有する方もいる。
その場合も、ケースの形状に変化がないため、自分で目印を入れるなど別に自分で付け加えなければならない場合もある。
本考案は従来のコンタクトケースに＋αの機能を設けることにより、よりコンパクト機能化され、“お洒落で持ってて可愛い”と思ってもらえる長年変わらず愛用したくなる小物対応として、また、高齢者の方などにも視覚や触覚ですぐに左右が分かりやすい、優しい商品を提供したい。
【考案の効果】
【０００４】本考案は、コンタクトレンズ収納とイヤリング・ピアス・指輪・ネックレスなどのアクセサリー小物収納、サプリメント・常備薬などの収納を一つに兼ね備えることにより、コンパクト化し、“持ってて可愛い”“いつまでも愛着のあるデザイン”のケースとして、また、誰でも左右が認知でき、目の悪い人にも優しいデザイン、その人  その人の使い勝手に対応できる様々な使用効果を有する万能ファッションアイテムとなりうる。
【図面の簡単な説明】
【０００５】
【図１】ケースの意匠仕様図例（動物タイプ  例：ブルドックの場合）
【図２】その他  例外タイプ図案（フラワータイプの場合）
【符号の説明】▲１▼口部分内側収納機能：サプリメント・リング・ネックレス入れ：フタ（可動中仕切りあり）
▲２▼「目」「耳」「鼻の穴」など人や動物に必ず２つある左右の箇所にコンタクトレンズ  ケースキャップ回転式、本体部分とくっついた凸凹のあるフタ式  動物により使用箇所異なる  動物の特徴となる部分などに使用
▲３▼エンボス  「Ｌ」「Ｒ」
動物により「目」「耳」「鼻の穴」など
その動物の特徴となる部分に▲２▼の機能と同じくエンボス仕上げ
【産業上の利用可能性】
【０００６】ペットボトル素材などによる再利用＝エコな素材による新しい製品製造を確立することができる
【図１】
0003201020.tif 000003
【図２】
0003201020.tif 000004
【手続補正書】
【提出日】平成27年9月2日(2015.9.2)
【手続補正１】
【補正対象書類名】実用新案登録請求の範囲
【補正対象項目名】全文
【補正方法】変更
【補正の内容】
【実用新案登録請求の範囲】
【請求項１】
コンタクトレンズ収納部と、薬収納部と、アクセサリー収納部とを備えることを特徴とするコンパクトケース。
【請求項２】
コンタクトレンズ収納部はキャップを備え、当該キャップの表面をエンボス仕上げとしたことを特徴とする請求項１に記載のコンパクトケース。
【請求項３】
その外観が人若しくは動物の顔又は二輪の花に模したものであって、前記コンタクトレンズ収納部を、人若しくは動物の目や耳や鼻に相当する位置又は二輪の花の各中心部に設けたことを特徴とする請求項１又は２に記載のコンパクトケース。